(57)【要約】【課題】ユーザがデータを検索することなしに、視聴を希望しているコンテンツを受信することができるようにする【解決手段】コンテンツカード２０は、コンテンツの内容を示すコンテンツ情報が印刷領域２４に印刷されており、かつＩＣタグ２２を有している。ＩＣタグ２２は、コンテンツ識別情報を記憶している。表示システム１０は、ＩＣタグ２２からコンテンツ識別情報を読み取り、読み取ったコンテンツ識別情報をコンテンツサーバ３００に送信する。コンテンツサーバ３００は、コンテンツをコンテンツ識別情報に対応付けて記憶している。コンテンツサーバ３００は、受信したコンテンツ識別情報に対応するコンテンツを表示システム１０に送信する。【選択図】図１
2010219906.tif 000002
【特許請求の範囲】
【請求項１】
コンテンツの内容を示すコンテンツ情報が印刷されているコンテンツカードと、
コンテンツを記憶しているコンテンツサーバと、
前記コンテンツを前記コンテンツサーバから受信して表示する表示システムと、
を備え、
前記コンテンツカードは、コンテンツ識別情報を記憶しているＩＣタグを有しており、
前記コンテンツサーバは、
前記コンテンツを前記コンテンツ識別情報に対応付けて記憶しているコンテンツ記憶手段と、
前記表示システムから前記コンテンツ識別情報を受信する識別情報受信手段と、
前記識別情報受信手段が受信した前記コンテンツ識別情報に対応する前記コンテンツを前記コンテンツ記憶手段から読み出して前記表示システムに送信するコンテンツ送信手段と、
を有し、
前記表示システムは、
前記ＩＣタグから前記コンテンツ識別情報を読み取る読取手段と、
前記読取手段が読み取った前記コンテンツ識別情報を前記コンテンツサーバに送信する識別情報送信手段と、
前記コンテンツサーバから前記コンテンツを受信して表示する表示装置と、
を有しているコンテンツ表示システム。
【請求項２】
請求項１に記載のコンテンツ表示システムにおいて、
前記表示システムはテレビであるコンテンツ表示システム。
【請求項３】
請求項１又は２に記載のコンテンツ表示システムにおいて、
前記表示システムは、前記表示装置を操作するリモートコントロール装置をさらに備え、
前記読取手段は、前記リモートコントロール装置に取り付けられているコンテンツ表示システム。
【請求項４】
請求項３に記載のコンテンツ表示システムにおいて、
前記ＩＣタグは、前記コンテンツの内容を示すコンテンツデータを記憶しており、
前記読取手段は、前記ＩＣタグから前記コンテンツ識別情報と共に前記コンテンツデータを読み取り、
前記リモートコントロール装置は、前記コンテンツデータを表示する表示処理手段と、
を備え、
前記識別情報送信手段は、前記表示処理手段で表示された前記コンテンツデータが選択されたときに、選択された前記コンテンツデータに対応する前記コンテンツ識別情報を前記コンテンツサーバに送信するコンテンツ表示システム。
【請求項５】
請求項１〜４のいずれか一つに記載のコンテンツ表示システムにおいて、
前記ＩＣタグは、前記コンテンツサーバに接続するための接続情報をさらに記憶しており、
前記表示システムの前記読取手段は、前記コンテンツ識別情報とともに前記接続情報を読み取り、
前記表示システムの前記識別情報送信手段は、前記読取手段が読み取った前記接続情報を用いて前記コンテンツサーバに接続するコンテンツ表示システム。
【請求項６】
請求項１〜５のいずれか一つに記載のコンテンツ表示システムにおいて、
前記ＩＣタグは、前記コンテンツカードを相互に識別するカード識別情報をさらに記憶しており、
前記表示システムの前記読取手段は、前記ＩＣタグから前記カード識別情報をさらに読み取り、
前記表示システムの前記識別情報送信手段は、前記カード識別情報を前記コンテンツ識別情報に対応付けて前記コンテンツサーバの前記識別情報受信手段に送信し、
前記コンテンツサーバは、
前記カード識別情報を、前記コンテンツ識別情報、並びに再生可能回数及び有効期限の少なくとも一方に対応付けて記憶しているカード情報記憶手段と、
前記識別情報受信手段が受信した前記カード識別情報に対応する前記再生可能回数又は前記有効期限を読み出して前記コンテンツの送信の可否を判断する送信可否判断手段と、
を備え、
前記コンテンツ送信手段は、前記送信可否判断手段が前記コンテンツを送信してよいと判断したときに、前記コンテンツを前記表示システムに送信するコンテンツ表示システム。
【請求項７】
請求項６に記載のコンテンツ表示システムにおいて、
前記コンテンツ識別情報は、前記カード識別情報であり、
前記コンテンツサーバの前記コンテンツ記憶手段は、一つの前記コンテンツを複数の前記カード識別情報に対応付けて記憶しているコンテンツ表示システム。
【請求項８】
コンテンツをコンテンツ識別情報に対応付けて記憶しているコンテンツサーバから前記コンテンツを受信するためのコンテンツカードであって、
前記コンテンツの内容を示すコンテンツ情報が印刷されている印刷領域と、
前記コンテンツ識別情報を記憶しているＩＣタグと、
を備えるコンテンツカード。
【請求項９】
コンテンツをコンテンツ識別情報に対応付けて記憶しているコンテンツサーバから、前記コンテンツを受信して表示する表示システムであって、
前記コンテンツ識別情報を記憶しているＩＣタグから前記コンテンツ識別情報を読み取る読取手段と、
前記読取手段が読み取った前記コンテンツ識別情報を前記コンテンツサーバに送信する識別情報送信手段と、
前記コンテンツサーバから前記コンテンツを受信して表示する表示装置と、
を備える表示システム。
【請求項１０】
請求項９に記載の表示システムにおいて、
前記表示システムはテレビである表示システム。
【請求項１１】
請求項９又は１０に記載の表示システムにおいて、
前記表示装置を操作するリモートコントロール装置をさらに備え、
前記読取手段は、前記リモートコントロール装置に取り付けられている表示システム。
【請求項１２】
コンテンツの内容を示すコンテンツ情報が印刷されているコンテンツカードに、コンテンツ識別情報を記憶しているＩＣタグを設け、
コンテンツサーバに、前記コンテンツを前記コンテンツ識別情報に対応付けて記憶させ、
前記コンテンツを表示する表示システムに、前記コンテンツカードの前記ＩＣタグから前記コンテンツ識別情報を読み取らせて前記コンテンツサーバに送信させ、
前記コンテンツサーバに、前記表示システムから受信した前記コンテンツ識別情報に対応するコンテンツを、前記表示システムに返信させ、
前記表示システムに、前記コンテンツサーバから受信した前記コンテンツを表示させるコンテンツ表示方法。
【請求項１３】
コンピュータを、コンテンツを表示する表示システムとして機能させるためのプログラムであって、
前記コンピュータに、
コンテンツを相互に識別するＩＣタグから前記コンテンツ識別情報を読み取る機能と、
読み取った前記コンテンツ識別情報を、前記コンテンツを前記コンテンツ識別情報に対応付けて記憶しているコンテンツサーバに送信する機能と、
前記コンテンツサーバから前記コンテンツを受信して表示する機能と、
を実現させるプログラム。
【発明の詳細な説明】
【技術分野】
【０００１】
本発明は、ユーザが容易にコンテンツを選択することができるコンテンツ表示システム、コンテンツカード、表示システム、コンテンツ表示方法、及びプログラムに関する。
【背景技術】
【０００２】
近年、過去に放送したテレビ番組をユーザ向けに開放する動きが広まっている。この動きが進むと、ユーザは、任意のタイミングで過去のテレビ番組を視聴することができるようになる。
【０００３】
また特許文献１には、映画ソフト又は映像コンテンツソフトを利用者に提供するに当たり、利用者が希望する配信料金で採算性が取れると判定したときに、映画ソフト又は映像コンテンツソフトを配信することが開示されている。
【０００４】
また特許文献２には、インターネット経由で動画コンテンツを視聴できるビデオレンタルシステムが開示されている。このシステムにおいて、ユーザを認証するためにＩＤカードが使用されている。
【先行技術文献】
【特許文献】
【０００５】
【特許文献１】特開２００７−６２３５号公報
【特許文献２】特開２００９−０１７５７９号公報
【発明の概要】
【発明が解決しようとする課題】
【０００６】
上記したいずれの文献においても、ユーザは、視聴を希望しているコンテンツを検索する必要がある。データを検索するのに不慣れな人にとって、この操作は苦痛であった。
【０００７】
本発明は上記事情に鑑みてなされたものであり、その目的とするところは、ユーザがデータを検索することなしに、視聴を希望しているコンテンツを受信することができるコンテンツ表示システム、コンテンツカード、表示システム、コンテンツ表示方法、及びプログラムを提供することにある。
【課題を解決するための手段】
【０００８】
本発明によれば、コンテンツの内容を示すコンテンツ情報が印刷されているコンテンツカードと、
コンテンツを記憶しているコンテンツサーバと、
前記コンテンツを前記コンテンツサーバから受信して表示する表示システムと、
を備え、
前記コンテンツカードは、コンテンツ識別情報を記憶しているＩＣタグを有しており、
前記コンテンツサーバは、
前記コンテンツを前記コンテンツ識別情報に対応付けて記憶しているコンテンツ記憶手段と、
前記表示システムから前記コンテンツ識別情報を受信する識別情報受信手段と、
前記識別情報受信手段が受信した前記コンテンツ識別情報に対応する前記コンテンツを前記コンテンツ記憶手段から読み出して前記表示システムに送信するコンテンツ送信手段と、
を有し、
前記表示システムは、
前記ＩＣタグから前記コンテンツ識別情報を読み取る読取手段と、
前記読取手段が読み取った前記コンテンツ識別情報を前記コンテンツサーバに送信する識別情報送信手段と、
前記コンテンツサーバから前記コンテンツを受信して表示する表示装置と、
を有しているコンテンツ表示システムが提供される。
【０００９】
本発明によれば、コンテンツをコンテンツ識別情報に対応付けて記憶しているコンテンツサーバから前記コンテンツを受信するためのコンテンツカードであって、
前記コンテンツの内容を示すコンテンツ情報が印刷されている印刷領域と、
前記コンテンツ識別情報を記憶しているＩＣタグと、
を備えるコンテンツカードが提供される。
【００１０】
本発明によれば、コンテンツをコンテンツ識別情報に対応付けて記憶しているコンテンツサーバから、前記コンテンツを受信して表示する表示システムであって、
前記コンテンツ識別情報を記憶しているＩＣタグから前記コンテンツ識別情報を読み取る読取手段と、
前記読取手段が読み取った前記コンテンツ識別情報を前記コンテンツサーバに送信する識別情報送信手段と、
前記コンテンツサーバから前記コンテンツを受信して表示する表示装置と、
を備える表示システムが提供される。
【００１１】
本発明によれば、コンテンツの内容を示すコンテンツ情報が印刷されているコンテンツカードに、コンテンツ識別情報を記憶しているＩＣタグを設け、
コンテンツサーバに、前記コンテンツを前記コンテンツ識別情報に対応付けて記憶させ、
前記コンテンツを表示する表示システムに、前記コンテンツカードの前記ＩＣタグから前記コンテンツ識別情報を読み取らせて前記コンテンツサーバに送信させ、
前記コンテンツサーバに、前記表示システムから受信した前記コンテンツ識別情報に対応するコンテンツを、前記表示システムに返信させ、
前記表示システムに、前記コンテンツサーバから受信した前記コンテンツを表示させるコンテンツ表示方法が提供される。
【００１２】
本発明によれば、コンピュータを、コンテンツを表示する表示システムとして機能させるためのプログラムであって、
前記コンピュータに、
コンテンツを相互に識別するＩＣタグから前記コンテンツ識別情報を読み取る機能と、
読み取った前記コンテンツ識別情報を、前記コンテンツを前記コンテンツ識別情報に対応付けて記憶しているコンテンツサーバに送信する機能と、
前記コンテンツサーバから前記コンテンツを受信して表示する機能と、
を実現させるプログラムが提供される。
【発明の効果】
【００１３】
本発明によれば、ユーザがデータを検索することなしに、視聴を希望しているコンテンツを表示装置に受信して表示させることができる。
【図面の簡単な説明】
【００１４】
【図１】第１の実施の形態におけるコンテンツ表示システムの構成を示すブロック図である。
【図２】リモートコントロール装置の機能構成を示すブロック図である。
【図３】表示装置の機能構成を示すブロック図である。
【図４】コンテンツサーバの機能構成を示すブロック図である。
【図５】コンテンツ記憶部が記憶しているデータをテーブル形式で示す図である。
【図６】カード情報記憶部が記憶しているデータをテーブル形式で示す図である。
【図７】図１に示したコンテンツ表示システムの動作を示すフローチャートである。
【図８】第２の実施形態に係るコンテンツ記憶部のデータ構成を示す図である。
【図９】第２の実施形態に係るカード情報記憶部のデータ構成を示す図である。
【図１０】第２の実施形態に係るコンテンツ表示システムの動作を示すフローチャートである。
【図１１】第３の実施形態に係るリモートコントロール装置の機能構成を示すブロック図である。
【発明を実施するための形態】
【００１５】
以下、本発明の実施の形態について、図面を用いて説明する。尚、すべての図面において、同様な構成要素には同様の符号を付し、適宜説明を省略する。
【００１６】
（第１の実施形態）
図１は、第１の実施の形態におけるコンテンツ表示システムの構成を示すブロック図である。このコンテンツ表示システムは、コンテンツカード２０、コンテンツサーバ３００、及び表示システム１０を備える。表示システム１０とコンテンツサーバ３００は、インターネットなどの通信網５０及びゲートウェイサーバ５００を介して、互いに接続している。
【００１７】
コンテンツカード２０は、例えばビデオレンタル店などで、有料で販売されている。コンテンツカード２０は、コンテンツの内容を示すコンテンツ情報が印刷領域２４に印刷されており、かつＩＣタグ２２を有している。コンテンツ情報は、例えばそのコンテンツの名称や、登場人物等の画像である。ＩＣタグ２２は、コンテンツ識別情報を記憶している。ＩＣタグ２２は、例えばＲＦＩＤ（Radio Frequency Identification）であるが、他のＩＣタグであってもよい。
【００１８】
コンテンツサーバ３００は、コンテンツをコンテンツ識別情報に対応付けて記憶している。またコンテンツサーバ３００は、表示システム１０からコンテンツ識別情報を受信する。そしてコンテンツサーバ３００は、受信したコンテンツ識別情報に対応するコンテンツを表示システム１０に送信する。コンテンツは、例えば過去に上映された映画や過去に放送されたテレビ番組などの動画データである。
【００１９】
表示システム１０は、ＩＣタグ２２からコンテンツ識別情報を読み取り、読み取ったコンテンツ識別情報をコンテンツサーバ３００に送信する。そして表示システム１０は、コンテンツサーバ３００からコンテンツを受信して表示する。
【００２０】
本実施形態において、表示システム１０は、テレビであり、表示装置２００及びリモートコントロール装置１００を備えている。リモートコントロール装置１００は、ＩＣタグ２２からコンテンツ識別情報を読み取る読取部を有している。そしてリモートコントロール装置１００は、読み取ったコンテンツ識別情報を表示装置２００に送信する。表示装置２００は、受信したコンテンツ識別情報をコンテンツサーバ３００に送信する。
【００２１】
コンテンツカード２０のＩＣタグ２２は、さらにコンテンツサーバ３００に接続するための接続情報を記憶している。リモートコントロール装置１００は、ＩＣタグ２２からコンテンツ識別情報とともに接続情報を読み取る。そして表示装置２００は、リモートコントロール装置１００が読み取った接続情報を用いてコンテンツサーバ３００に接続する。接続情報は、例えばゲートウェイサーバ５００のＵＲＬ（Uniform Resource Locator）、又はコンテンツサーバ３００のＵＲＬである。前者の場合、ゲートウェイサーバ５００は、コンテンツ識別情報とコンテンツサーバ３００のＵＲＬを互いに対応付けて記憶している。そしてゲートウェイサーバ５００は、表示装置２００からコンテンツ識別情報を受信すると、受信したコンテンツ識別情報に対応するＵＲＬを読み出し、このＵＲＬを用いてコンテンツサーバ３００に接続する。
【００２２】
またコンテンツカード２０のＩＣタグ２２は、コンテンツカード２０を相互に識別するカード識別情報をさらに記憶している。リモートコントロール装置１００は、ＩＣタグ２２からコンテンツ識別情報とともにカード識別情報を読み取り、読み取ったカード識別情報を、コンテンツ識別情報に対応付けてコンテンツサーバ３００に送信する。
【００２３】
コンテンツサーバ３００は、カード識別情報を、コンテンツ識別情報、並びに再生可能回数及び有効期限の少なくとも一方に対応付けて記憶している。そしてコンテンツサーバ３００は、受信したカード識別情報に対応する再生可能回数又は有効期限を読み出してコンテンツの送信の可否を判断する。そしてコンテンツサーバ３００は、コンテンツを送信してよいと判断したときに、コンテンツを表示システム１０の表示装置２００に送信する。
【００２４】
図２は、リモートコントロール装置１００の機能構成を示すブロック図である。本図において、一般的なテレビのリモートコントロール装置と同様の構成については省略している。リモートコントロール装置１００は、読取部１１０及び送信部１２０を備えている。読取部１１０は、コンテンツカード２０のＩＣタグ２２が記憶している各種情報を読み取る。ここで読み取られる情報には、コンテンツ識別情報、接続情報、及びカード識別情報が含まれる。送信部１２０は、読取部１１０がＩＣタグ２２から読み取った情報を表示装置２００に無線で送信する。
【００２５】
図３は、表示装置２００の機能構成を示すブロック図である。本図において、一般的なテレビと同様の構成に付いては省略している。表示装置２００は、入力受信部２１０、識別情報送信部２２０、コンテンツ受信部２３０、及びコンテンツ表示部２４０を備える。入力受信部２１０は、リモートコントロール装置１００から送信されてきた各種情報を受信する。受信する情報には、コンテンツ識別情報、接続情報、及びカード識別情報が含まれる。識別情報送信部２２０は、入力受信部２１０が受信した接続情報を用いてコンテンツサーバ３００に接続し、コンテンツサーバ３００にコンテンツ識別情報及びカード識別情報を送信する。
【００２６】
コンテンツ受信部２３０は、コンテンツサーバ３００からコンテンツを受信する。コンテンツ表示部２４０は、コンテンツ受信部２３０が受信したコンテンツを表示する。
【００２７】
なお、図２及び図３において、リモートコントロール装置１００及び表示装置２００の各構成要素は、ハードウエア単位の構成ではなく、機能単位のブロックを示している。リモートコントロール装置１００及び表示装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００２８】
図４は、コンテンツサーバ３００の機能構成を示すブロック図である。コンテンツサーバ３００は、コンテンツ記憶部３１０、識別情報受信部３３０、及びコンテンツ送信部３５０を備える。コンテンツ記憶部３１０は、コンテンツをコンテンツ識別情報に対応付けて記憶している。識別情報受信部３３０は、表示システム１０の表示装置２００からコンテンツ識別情報を受信する。コンテンツ送信部３５０は、識別情報受信部３３０が受信したコンテンツ識別情報に対応するコンテンツをコンテンツ記憶部３１０から読み出して表示装置２００に送信する。
【００２９】
コンテンツサーバ３００は、さらにカード情報記憶部３２０及び送信可否判断部３４０を備える。カード情報記憶部３２０は、カード識別情報を、コンテンツ識別情報、並びに再生可能回数及び有効期限の少なくとも一方に対応付けて記憶している。送信可否判断部３４０は、識別情報受信部３３０が受信したカード識別情報に対応する再生可能回数又は有効期限をカード情報記憶部３２０から読み出してコンテンツの送信の可否を判断する。そしてコンテンツ送信部３５０は、送信可否判断部３４０がコンテンツを送信してよいと判断したときに、コンテンツを表示システム１０の表示装置２００に送信する。
【００３０】
なお、図４において、コンテンツサーバ３００の各構成要素は、ハードウエア単位の構成ではなく、機能単位のブロックを示している。コンテンツサーバ３００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００３１】
図５は、コンテンツ記憶部３１０が記憶しているデータをテーブル形式で示す図である。コンテンツ記憶部３１０は、コンテンツ識別情報とコンテンツを互いに対応付けて記憶している。コンテンツのデータ形式はデジタル方法対応のテレビでデータ変換することなしにそのまま再生できる形式であるのが好ましい。
【００３２】
図６は、カード情報記憶部３２０が記憶しているデータをテーブル形式で示す図である。カード情報記憶部３２０は、カード識別情報別に、コンテンツ識別情報、再生可能回数、及び有効期限を記憶している。再生可能回数は、そのカード識別情報でコンテンツを再生することができる回数を示しており、コンテンツが再生されるたびに数字が一つずつ減っていく。有効期限は、そのカード識別情報でコンテンツを再生することができる期限を示している。この有効期限は、予め定められている場合や、初回視聴時から予め定められた期間（例えば１年）以内として設定される場合がある。
【００３３】
図７は、図１に示したコンテンツ表示システムの動作を示すフローチャートである。まずユーザは、自分が視聴したいコンテンツのコンテンツカード２０を店舗で購入する。そしてユーザは、自宅の表示システム１０のリモートコントロール装置１００の読取部１１０に、コンテンツカード２０のＩＣタグ２２が記憶している情報を読み取らせる。読み取られる情報には、カード識別情報、コンテンツ識別情報、及び接続情報が含まれる（ステップＳ１０）。リモートコントロール装置１００は、読み取った情報を無線で表示装置２００に送信する。表示装置２００の識別情報送信部２２０は、接続情報を用いてコンテンツサーバ３００に接続し、カード識別情報及びコンテンツ識別情報を送信する（ステップＳ２０）。
【００３４】
コンテンツサーバ３００の識別情報受信部３３０は、表示装置２００から各種情報を受信する。受信する情報には、カード識別情報及びコンテンツ識別情報が含まれる。そしてコンテンツサーバ３００の送信可否判断部３４０は、カード情報記憶部３２０から、識別情報受信部３３０が受信したカード識別情報に対応する有効期限及び再生可能回数を読み出す（ステップＳ３０）。そして送信可否判断部３４０は、現在の日時を取得して、コンテンツの送信の可否を判断する（ステップＳ４０）。
【００３５】
詳細には、送信可否判断部３４０は、現在の日時が有効期限外であるか、又は再生可能回数が０である場合、コンテンツの送信が不可であると判断して（ステップＳ４０：Ｎｏ）、コンテンツ送信部３５０に、エラー情報を表示システム１０に送信させる（ステップＳ５０）。表示装置２００のコンテンツ受信部２３０は、エラー情報を受信する。そして表示装置２００のコンテンツ表示部２４０は、このエラー情報を表示する（ステップＳ６０）。
【００３６】
また送信可否判断部３４０は、現在の日時が有効期限内であり、かつ再生可能回数が１以上である場合、コンテンツの送信が可能であると判断して（ステップＳ４０：Ｙｅｓ）、コンテンツ識別情報及びカード識別情報をコンテンツ送信部３５０に出力する。そしてコンテンツ送信部３５０は、受信したコンテンツ識別情報に対応するコンテンツをコンテンツ記憶部３１０から読み出し（ステップＳ７０）、読み出したコンテンツを表示システム１０に送信する（ステップＳ８０）。
【００３７】
表示システム１０の表示装置２００は、コンテンツサーバ３００からコンテンツを受信すると、受信したコンテンツを表示する（ステップＳ９０）。またコンテンツサーバ３００のコンテンツ送信部３５０は、コンテンツを送信すると、カード情報記憶部３２０を更新する。詳細には、コンテンツ送信部３５０は、送信可否判断部３４０から送信されてきたカード識別情報に対応する再生可能回数を一つ減らす（ステップＳ１００）。
【００３８】
以上、本実施形態によれば、ユーザは、店舗でコンテンツカード２０を購入し、コンテンツカード２０のＩＣタグ２２をリモートコントロール装置１００に読み込ませるのみで、自分が視聴したいコンテンツを視聴することができる。したがってユーザは、データを検索することなしに、視聴を希望しているコンテンツを通信網５０経由で表示システム１０に受信させて表示させることができる。
【００３９】
（第２の実施形態）
次に、第２の実施形態に係るコンテンツ表示システムについて説明する。このコンテンツ表示システムは、カード識別情報がコンテンツ識別情報を兼ねている点を除いて、第１の実施形態にかかるコンテンツ表示システムと同様である。
【００４０】
図８は、本実施形態に係るコンテンツサーバ３００のコンテンツ記憶部３１０のデータ構成を示す図である。このコンテンツ記憶部３１０は、一つのコンテンツに対してコンテンツ識別情報の代わりに複数のカード識別情報を対応付けて記憶している。
【００４１】
図９は、本実施形態に係るコンテンツサーバ３００のカード情報記憶部３２０のデータ構成をテーブル形式で示す図である。このカード情報記憶部３２０は、コンテンツ識別情報を記憶していない点を除いて、第１の実施形態において図６に示したカード情報記憶部３２０のデータ構成と同様である。
【００４２】
図１０は、本実施形態に係るコンテンツ表示システムの動作を示すフローチャートである。本図に示す動作は、以下の点を除いて、第１の実施形態において図７に示した動作と同様である。
【００４３】
まずステップＳ１０において、表示システム１０のリモートコントロール装置１００の読取部１１０は、コンテンツカード２０のＩＣタグ２２から、カード識別情報及び接続情報を読み取る。そしてステップＳ２０において表示装置２００は、コンテンツサーバ３００に、カード識別情報を送信する。
【００４４】
またコンテンツサーバ３００のコンテンツ送信部３５０は、ステップＳ７０において、識別情報受信部３３０が受信したカード識別情報に対応するコンテンツをコンテンツ記憶部３１０から読み出す。
【００４５】
本実施形態によっても、第１の実施形態と同様の効果を得ることができる。
【００４６】
（第３の実施形態）
図１１は、第３の実施形態に係るコンテンツ表示システムのリモートコントロール装置１００の機能構成を示すブロック図である。このリモートコントロール装置１００は、表示処理部１３０及び入力部１４０を備えている点を除いて、第１の実施形態において図２に示したリモートコントロール装置１００と同様の構成である。
【００４７】
本実施形態において、コンテンツカード２０のＩＣタグ２２は、コンテンツの内容を示すコンテンツデータを記憶している。コンテンツデータは、例えばコンテンツのタイトルを示すテキストデータである。リモートコントロール装置１００の読取部１１０は、ＩＣタグ２２からコンテンツ識別情報と共にコンテンツデータを読み取り、読み取った情報を表示処理部１３０に出力する。リモートコントロール装置１００は、表示操作画面（図示せず）を備えており、表示処理部１３０は、コンテンツデータを表示操作画面に表示させる。入力部１４０には、表示操作画面においてユーザがコンテンツデータを選択したことを示す選択情報が入力される。入力された選択情報は、表示処理部１３０に出力される。表示処理部１３０は、選択情報が入力されると、選択情報に対応するコンテンツ識別情報を送信部１２０に送信させる。そして、図３に示した表示装置２００の識別情報送信部２２０は、送信部１２０から受信したコンテンツ識別情報をコンテンツサーバ３００に送信する。
【００４８】
なお、リモートコントロール装置１００は、記憶部を備えていても良い。この記憶部は、ＩＣタグ２２から読み取ったコンテンツデータ及びコンテンツ識別情報の組み合わせを少なくとも一つ記憶している。この場合、表示処理部１３０は、記憶部からコンテンツデータを読み出して表示する。そして表示処理部１３０は、ユーザに選択されたコンテンツデータに対応するコンテンツ識別情報を記憶部から読み出して、送信部１２０に送信させる。
【００４９】
本実施形態によっても、第１の実施形態と同様の効果を得ることができる。また、ユーザは、コンテンツがコンテンツサーバ３００からダウンロードされる前に、コンテンツサーバ３００に送信しようとしているコンテンツ識別情報が所望のコンテンツに対応していることを確認することができる。
【００５０】
以上、図面を参照して本発明の実施形態について述べたが、これらは本発明の例示であり、上記以外の様々な構成を採用することもできる。例えば上記した各実施形態では、読取部１１０をリモートコントロール装置１００に設けたが、表示装置２００に設けても良い。
【００５１】
また上記した各実施形態では、コンテンツサーバ３００のカード情報記憶部３２０は、再生可能回数及び有効期限の双方を記憶していたが、再生可能回数のみを記憶していても良いし、有効期限のみを記憶していても良い。
【００５２】
また上記した各実施形態では、接続情報をコンテンツカード２０のＩＣタグ２２が記憶していたが、表示装置２００が予め記憶しておいてもよい。
【符号の説明】
【００５３】
１０ 表示システム
２０ コンテンツカード
２２ ＩＣタグ
２４ 印刷領域
５０ 通信網
１００ リモートコントロール装置
１１０ 読取部
１２０ 送信部
１３０  表示処理部
１４０  入力部
２００ 表示装置
２１０ 入力受信部
２２０ 識別情報送信部
２３０ コンテンツ受信部
２４０ コンテンツ表示部
３００ コンテンツサーバ
３１０ コンテンツ記憶部
３２０ カード情報記憶部
３３０ 識別情報受信部
３４０ 送信可否判断部
３５０ コンテンツ送信部
５００ ゲートウェイサーバ
【図１】
2010219906.tif 000003
【図２】
2010219906.tif 000004
【図３】
2010219906.tif 000005
【図４】
2010219906.tif 000006
【図５】
2010219906.tif 000007
【図６】
2010219906.tif 000008
【図７】
2010219906.tif 000009
【図８】
2010219906.tif 000010
【図９】
2010219906.tif 000011
【図１０】
2010219906.tif 000012
【図１１】
2010219906.tif 000013